(57)【要約】【課題】受信した上記デジタル放送信号を、出力時間のずれがないように出力することが可能なデジタル放送受信装置を提供する。【解決手段】出力制御部１１０は、各階層のシーン検出部から出力されたシーン検出信号を受け、計時部１１３よりシーン変化を検出した時刻を取得し、各階層のシーン検出テーブルに該時刻を記憶させる。出力制御部１１０は、各階層のシーン検出テーブルのデータに基づいて、デジタル放送受信装置１００内における、各階層間の映像信号及び音声信号の出力時間のずれを算出する。出力制御部１１０は、各階層のバッファ部のバッファ記憶量を上記出力時間のずれに対応するように調整し、出力時間のずれがないように各階層の復号部に出力するタイミングを制御する。【選択図】図１
2008092100.tif 000002
【特許請求の範囲】
【請求項１】
同一の放送内容が階層伝送されるデジタル放送信号を受信するデジタル放送受信装置において、
前記受信したデジタル放送信号を、各々の階層のストリーム信号に分離する分離部と、
前記各々の階層毎に設けられ、前記分離部から出力されるある階層に対応するストリーム信号に基づき、放送内容の連続性が遮断された時点を検知する複数の放送内容連続性遮断検知部と、
階層選択の指令が入力された場合に、前記複数の放送内容連続性遮断検知部が個別に検知した、放送内容の連続性が遮断されたタイミングにずれがあった時には、現在出力中の階層のストリーム信号と、前記入力された階層選択に基づく階層のストリーム信号との間のタイミングのずれ量を計算するずれ量計算部と、
前記ずれ量計算部によって計算されたずれ量が解消するように、現在出力中の階層のストリーム信号の出力タイミング、及び／又は階層選択に基づく階層のストリーム信号の出力タイミングを制御する出力タイミング制御部と、
を備えるデジタル放送受信装置。
【請求項２】
請求項１記載のデジタル放送受信装置において、
前記各々の階層別に設けられ、前記分離部において、各々の階層毎に分離されたストリーム信号を記憶する記憶容量が可変される複数の記憶部をさらに備え、
前記出力タイミング制御部が、前記ずれ量計算部によって計算されたずれ量が解消するように、現在出力中の階層のストリーム信号に、対応する記憶部の記憶容量、及び／又は前記階層選択に基づく階層のストリーム信号に対応する記憶部の記憶容量を可変調整するようにしたデジタル放送受信装置。
【請求項３】
請求項１記載のデジタル放送受信装置において、
前記放送内容連続性遮断検知部が、前記各階層のストリームに含まれる画像信号中のシーン変化を検出するシーン変化検出部であるデジタル放送受信装置。
【請求項４】
請求項３記載のデジタル放送受信装置において、
前記シーン変化検出部によるシーン変化の検出が、特定の時点におけるフレームを複数の領域に分割し、各領域を構成する全画素の輝度値平均と、該フレームよりも１つ前のフレームの複数の領域に分割された各領域を構成する全画素の輝度値平均とを、対応する領域同士の間で比較するステップと、該比較の結果それらの間に予め設定された偏差の閾値を超えた偏差が有る場合に、それら偏差をもつ領域数が、予め設定された領域数の閾値を超えているかどうかをチェックするステップと、を経て行われるデジタル放送受信装置。
【請求項５】
請求項１記載のデジタル放送受信装置において、
前記放送内容連続性遮断検知部が、前記各階層のストリームに含まれる音声信号中の、有音／無音の変化を検出する、有音／無音検出部である。
【発明の詳細な説明】
【技術分野】
【０００１】
本発明は、デジタル放送を受信するための装置に関する。
【背景技術】
【０００２】
従来、デジタル放送受信装置において、各放送局に割り当てられた伝送帯域を多数のセグメントに分割し、１つ以上のセグメントで構成した階層を、複数同時に伝送する階層伝送と呼ばれる伝送方式を利用したデジタル放送を受信すると共に、階層毎に出力するデジタル放送受信装置が提案されている（例えば、特許文献１参照）。
【０００３】
上記提案に係る装置は、各放送局の階層毎の放送方式を保持するチャンネル放送方式対応テーブルデータベースと、該データベースで保持している各放送局の階層毎の放送方式に基づいて、出力する階層を切り替える階層切替部とを備えた構成になっている。
【特許文献１】特開２００３−２７４３０２号公報
【発明の開示】
【発明が解決しようとする課題】
【０００４】
ところで、上記階層は、所要Ｃ／Ｎ（Carrier to Noise Ratio）比の低い順に、例えば、強階層と中階層と弱階層とに分類される。上記強階層は、高品質なデータの伝送はできないが受信安定性が高く、例えば、移動体端末向けの放送信号を伝送する階層として利用されている。一方、上記中階層や弱階層は、高品質なデータを伝送できるが受信安定性が低く、例えば、固定端末向けの放送信号を伝送する階層として利用されている。
【０００５】
しかし、上記デジタル放送信号は、上記階層毎に異なる符号化処理が施された状態で階層毎に多重化されアンテナから送信されているため、上記アンテナからの送信時点で、各階層間で数ミリ秒から数秒程度の出力時間のずれが発生している。
【０００６】
そのため、上記装置で、受信階層に応じた映像及び音声信号（以下、「コンテンツ信号」という）を出力する際には、上記デジタル放送信号を受信したタイミングが同時であっても、各階層間で、数ミリ秒から数秒程度、出力時間がずれたコンテンツ信号が出力されてしまい、出力階層を切り替えて視聴を継続しようとする際に、数ミリ秒から数秒程度重複したシーンを視聴することになってしまっていた。
【０００７】
従って、本発明の目的は、受信した上記デジタル放送信号を、出力時間のずれがないように出力することが可能なデジタル放送受信装置を提供することにある。
【課題を解決するための手段】
【０００８】
本発明に従うデジタル放送受信装置は、前記受信したデジタル放送信号を、各々の階層のストリーム信号に分離する分離部と、前記各々の階層毎に設けられ、前記分離部から出力されるある階層に対応するストリーム信号に基づき、放送内容の連続性が遮断された時点を検知する複数の放送内容連続性遮断検知部と、階層選択の指令が入力された場合に、前記複数の放送内容連続性遮断検知部が個別に検知した、放送内容の連続性が遮断されたタイミングにずれがあった時には、現在出力中の階層のストリーム信号と、前記入力された階層選択に基づく階層のストリーム信号との間のタイミングのずれ量を計算するずれ量計算部と、前記ずれ量計算部によって計算されたずれ量が解消するように、現在出力中の階層のストリーム信号の出力タイミング、及び／又は階層選択に基づく階層のストリーム信号の出力タイミングを制御する出力タイミング制御部と、を備える。
【０００９】
本発明に係る好適な実施形態では、前記各々の階層別に設けられ、前記分離部において、各々の階層毎に分離されたストリーム信号を記憶する記憶容量が可変される複数の記憶部をさらに備え、前記出力タイミング制御部が、前記ずれ量計算部によって計算されたずれ量が解消するように、現在出力中の階層のストリーム信号に、対応する記憶部の記憶容量、及び／又は前記階層選択に基づく階層のストリーム信号に対応する記憶部の記憶容量を可変調整するようにしている。
【００１０】
本発明に係る好適な実施形態では、前記放送内容連続性遮断検知部が、前記各階層のストリームに含まれる画像信号中のシーン変化を検出するシーン変化検出部である。
【００１１】
本発明に係る好適な実施形態では、前記シーン変化検出部によるシーン変化の検出が、特定の時点におけるフレームを複数の領域に分割し、各領域を構成する全画素の輝度値平均と、該フレームよりも１つ前のフレームの複数の領域に分割された各領域を構成する全画素の輝度値平均とを、対応する領域同士の間で比較するステップと、該比較の結果それらの間に予め設定された偏差の閾値を超えた偏差が有る場合に、それら偏差をもつ領域数が、予め設定された領域数の閾値を超えているかどうかをチェックするステップと、を経て行われる。
【００１２】
上記とは別の実施形態では、前記放送内容連続性遮断検知部が、前記各階層のストリームに含まれる音声信号中の、有音／無音の変化を検出する、有音／無音検出部である。
【発明の効果】
【００１３】
本発明によれば、受信した上記デジタル放送信号を、出力時間のずれがないように出力することが可能なデジタル放送受信装置を提供することができる。
【発明を実施するための最良の形態】
【００１４】
以下、本発明の実施の形態を、図面により詳細に説明する。
【００１５】
図１は、本発明の一実施形態に係る、デジタル放送受信装置の構成を示す機能ブロック図である。
【００１６】
デジタル放送受信装置１００は、図１に示すように、入力端子１０１と、受信部１０２と、パケット分離部１０３と、強階層バッファ部１０４と、強階層復号部１０５と、強階層シーン検出部１０６とを備える。デジタル放送受信装置１００は、上記各部に加え、さらに、弱階層バッファ部１０７と、弱階層復号部１０８と、弱階層シーン検出部１０９と、出力制御部１１０と、出力選択部１１１と、出力端子１１２と、計時部１１３と、表示メモリ３００をも備える。また、出力制御部１１０は、強階層シーン検出テーブル６００と、弱階層シーン検出テーブル６５０を内蔵している。
【００１７】
受信部１０２は、各放送局から放送される符号化されたデジタル放送電波を、アンテナ（図示しない）及び入力端子１０１を通じて受信する。
【００１８】
受信部１０２は、受信した上記デジタル放送電波から、所望のチャンネルの上記デジタル放送信号を選局し、上記デジタル放送電波に含まれている多重化され変調された信号（例えば、コンテンツ信号）を復調する。また、受信部１０２は、デジタル放送受信装置１００で、各階層の上記デジタル放送電波を受信するまでの間に発生した、上記コンテンツ信号の誤りを訂正する。そして、誤り訂正が施された後の上記コンテンツ信号を、例えば、トランスポートストリーム（Transport Stream、以下「ＴＳ」という）信号として、パケット分離部１０３へ出力する。
【００１９】
パケット分離部１０３は、受信部１０２から出力されたＴＳ信号を、強階層のＴＳ信号と、弱階層のＴＳ信号とに分離し、強階層のＴＳ信号は強階層バッファ部１０４に、弱階層のＴＳ信号は弱階層バッファ部１０７に、それぞれ出力する。
【００２０】
強階層バッファ部１０４は、パケット分離部１０３より出力された上記強階層のＴＳ信号を、後に詳述する強階層シーン検出テーブル６００に基づいて予め設定されるバッファ記憶量に達するまでバッファリングする。さらに、強階層バッファ部１０４は、上記強階層のＴＳ信号が予め設定されているバッファ記憶量に達した場合、強階層復号部１０５に出力する。
【００２１】
強階層復号部１０５は、強階層バッファ部１０４より出力された上記強階層のＴＳ信号を、映像信号と音声信号とに復号する。復号された上記映像信号は、後に詳述する表示メモリ３００に出力され、復号された上記音声信号は、後に詳述する強階層シーン検出部１０６に出力される。
【００２２】
表示メモリ３００には、例えば、フレームバッファが用いられており、強階層復号部１０５から出力された上記映像信号を逐次記憶する。また、表示メモリ３００は、強階層シーン検出部１０６からの画像データ読み出し要求に応じて、上記強階層のシーンに係わる画像データを強階層シーン検出部１０６にそれぞれ出力する。
【００２３】
強階層シーン検出部１０６は、表示メモリ３００から出力された上記強階層の画像データに基づき、上記強階層の映像のシーン変化を検出すると共に、上記強階層の映像信号、及び強階層復号部１０５から出力された音声信号を、出力選択部１１１に出力する。また、強階層シーン検出部１０６は、上記強階層の映像のシーン変化を検出した際には、強階層シーン変化検出信号を、後に詳述する出力制御部１１０に出力する。
【００２４】
弱階層バッファ部１０７は、パケット分離部１０３より出力された上記弱階層のＴＳ信号を、後に詳述する弱階層シーン検出テーブル６５０に基づいて予め設定されるバッファ記憶量に達するまでバッファリングする。さらに、弱階層バッファ部１０７は、上記弱階層のＴＳ信号が予め設定されているバッファ記憶量に達した場合、弱階層復号部１０８に出力する。
【００２５】
弱階層復号部１０８は、弱階層バッファ部１０７より出力された上記弱階層のＴＳ信号を、映像信号と音声信号とに復号する。復号された上記映像信号は、表示メモリ３００に出力され、復号された上記音声信号は、後に詳述する弱階層シーン検出部１０９に出力される。
【００２６】
表示メモリ３００は、上述と同様の処理動作を行う。例えば、弱階層復号部１０８から出力された上記映像信号を逐次記憶し、弱階層シーン検出部１０９からの画像データ読み出し要求に応じて、上記弱階層のシーンに係わる画像データを弱階層シーン検出部１０９に出力する。
【００２７】
弱階層シーン検出部１０９は、表示メモリ３００から出力された上記弱階層の画像データに基づき、上記弱階層の映像のシーン変化を検出すると共に、上記弱階層の映像信号、及び弱階層復号部１０８から出力された音声信号を、出力選択部１１１に出力する。また、弱階層シーン検出部１０９は、上記弱階層の映像のシーン変化を検出した際には、弱階層シーン変化検出信号を、出力制御部１１０に出力する。
【００２８】
出力選択部１１１では、図示しない操作部を通じた利用者からの切り替え指令を受けた
出力制御部１１０からの制御信号によって、上記強階層の映像信号及び音声信号や、上記弱階層の映像信号及び音声信号の、出力端子１１２への出力が選択される。
【００２９】
出力制御部１１０は、強階層シーン検出部１０６から出力された上記強階層シーン検出信号を受け、例えば、リアルタイムクロックである計時部１１３よりシーン変化を検出した時刻を取得し、強階層シーン検出テーブル６００に該時刻を記憶させる。また、出力制御部１１０は、弱階層シーン検出部１０９から出力された上記弱階層シーン検出信号を受け、計時部１１３よりシーン変化を検出した時刻を取得し、弱階層シーン検出テーブル６５０に該時刻を記憶させる。
【００３０】
また、出力制御部１１０は、強階層シーン検出テーブル６００及び弱階層シーン検出テーブル６５０に記憶されているデータに基づいて、デジタル放送受信装置１００内における、上記強階層の映像信号及び音声信号と、上記弱階層の映像信号及び音声信号との出力時間のずれを算出する。さらに、出力制御部１１０は、強階層バッファ部１０４及び弱階層バッファ部１０７のバッファ記憶量を上記出力時間のずれに対応するように調整し、強階層バッファ部１０４から強階層復号部１０５への、あるいは弱階層バッファ部１０７から弱階層復号部１０８への、上記各階層の映像信号及び音声信号の出力タイミングをそれぞれ制御する。
【００３１】
例えば、上記弱階層の映像信号及び音声信号が、上記強階層の映像信号及び音声信号よりも遅延して出力されている場合、出力制御部１１０は、強階層バッファ部１０４のバッファ記憶量を、上記弱階層の映像信号及び音声信号の出力遅延時間分に設定する。また、例えば、上記強階層の映像信号及び音声信号が、上記弱階層の映像信号及び音声信号よりも遅延して出力されている場合、出力制御部１１０は、弱階層バッファ部１０７のバッファ記憶量を、上記強階層の映像信号及び音声信号の出力遅延時間分に設定する。
【００３２】
図２は、本発明の一実施形態に係る、表示メモリに記憶されている画像データの構成を示す説明図である。
【００３３】
表示メモリ３００は、強階層復号部１０５や弱階層復号部１０８（いずれも図１で示した）から出力された映像信号を、画素毎に記憶する。該映像信号は、図示しない表示画面の該当する画素に応じた色情報（例えば、輝度信号情報Ｙと、青の色差信号情報Ｃｂ、及び赤の色差信号情報Ｃｒ）を含む画素情報３０１によって構成される。なお、画素情報３０１は、図示しない表示画面の画素に対応するように、マトリクス状に配置される。
【００３４】
図３は、図１に記載の表示メモリに内蔵される、輝度値テーブルの内容を示す説明図である。
【００３５】
図３（Ａ）で示した例では、表示メモリ３００に記憶されている複数の画素が、左から（Ｘ１，Ｙ１）、…、（Ｘ４，Ｙ４）と言うように、縦方向と横方向それぞれ４ずつの領域にマトリクス状に分割されている。これらの領域（領域４０１〜４０７、及び符号を付していない領域も含む）には、上記分割数に応じた画像情報３０１が、画素数分記憶される。記憶された画素情報３０１は、各階層のシーン検出部を通じて、出力選択部１１１に出力される。なお、上記分割数は、上記各階層のシーン検出部の処理負荷と、検出精度のバランスに基づいて適宜変更可能である。
【００３６】
図３（Ｂ）は、図３（Ａ）の各領域（領域４０１〜４０７、及び符号を付していない領域も含む）に該当する記憶領域を有し、各領域内に存在する画素の輝度信号情報Ｙの平均値（図中では、４０１Ａ〜４０７Ａと記す）を記憶する輝度値テーブル４００である。輝度値テーブル４００は、上記各階層のシーン検出部からの画像データ読み出し要求に応じて、上記輝度信号情報Ｙを上記各階層のシーン検出部にそれぞれ出力する。
【００３７】
図４は、図１に記載の出力制御部に内蔵される、各階層のシーン検出テーブルの構成を示す説明図である。
【００３８】
図４で示した例では、強階層シーン検出テーブル６００は、割り込み時刻データ保存領域６０１と、割り込み間隔データ保存領域６０２とから構成されている。また、弱階層シーン検出テーブル６５０は、割り込み時刻データ保存領域６０３と、割り込み間隔データ保存領域６０４とから構成されている。
【００３９】
強階層シーン検出テーブル６００の割り込み時刻データ保存領域６０１は、強階層シーン検出部１０６によってシーンの変化が検出された際に、計時部１１３より取得した時刻（つまり、強階層シーン検出部１０６がシーンの変化を検出した時刻）を割り込み時刻として記憶する。
【００４０】
割り込み間隔データ保存領域６０２は、割り込み時刻データ保存領域６０１に記憶されている最新の割り込み時刻と、該割り込み時刻の１つ前の割り込み時刻との時間差を、割り込み間隔として記憶する。
【００４１】
同様に、弱階層シーン検出テーブル６５０の割り込み時刻データ保存領域６０３は、弱階層シーン検出部１０９によってシーンの変化が検出された際に、計時部１１３より取得した時刻（つまり、弱階層シーン検出部１０９がシーンの変化を検出した時刻）を割り込み時刻として記憶する。
【００４２】
割り込み間隔データ保存領域６０４は、割り込み時刻データ保存領域６０３に記憶されている最新の割り込み時刻と、該割り込み時刻の１つ前の割り込み時刻との時間差を、割り込み間隔として記憶する。
【００４３】
なお、上記時刻や上記時間差などの値を、割り込み時刻データ保存領域６０１や、割り込み間隔データ保存領域６０２に記録する際には、例えば、First In First Out方式（以下、「ＦＩＦＯ方式」という）で記憶する。該方式は、例えば、強階層シーン検出部１０６によって新しいシーンが検出され、最新のシーン変化検出時刻が＃１に記憶されると、それまで＃１に記憶されていた値を、ひとつ後ろのインデックス、つまり、＃２に移動し、該テーブルの＃Ｎに記憶されていた値は消去される。
【００４４】
図５は、本発明の一実施形態に係る、シーンの変化を検出する際の、シーン検出部の処理動作を示すフローチャートである。
【００４５】
強階層シーン検出部１０６は、強階層復号部１０５から出力される映像信号のフレーム毎に、表示メモリ３００の各領域の輝度信号情報Ｙの平均値を算出し、該平均値を輝度値テーブル４００の該当する記憶領域（例えば、４０１Ａ〜４０７Ａ）に逐次記憶する（ステップＳ５０１）。次に、強階層シーン検出部１０６は、ステップＳ５０１で算出した輝度信号情報Ｙの平均値と、１つ前のフレームの時に算出した輝度信号情報Ｙの平均値とを比較し、該平均値が所定の閾値を超えて変動している上記記憶領域の数を算出する（ステップＳ５０２）。次に、強階層シーン検出部１０６は、ステップＳ５０２で算出した、所定の閾値を超えて変動している上記記憶領域の数が、所定の閾値を超えているか否かを判定する（ステップＳ５０３）。ステップＳ５０３で所定の閾値を超えていると判定した場合（ステップＳ５０３：超えている）、強階層シーン検出部１０６は、上記強階層から出力されている映像にシーン変化があったと判断し、出力制御部１１０にシーン変化検出信号を出力し（ステップＳ５０４）、シーン変化検出処理動作を継続する。また、ステップＳ５０３で所定の閾値を超えていないと判定した場合（ステップＳ５０３：超えていない）、上記強階層から出力されている映像にシーン変化はなかったと判断し、シーン変化検出処理動作を継続する。
【００４６】
なお、本実施例の説明では、強階層シーン検出部１０６の動作例で説明したが、弱階層シーン検出部１０９も、弱階層復号部１０８から出力される映像信号のフレーム毎に同様の処理動作を逐次行う。
【００４７】
図６は、本発明の一実施形態に係る、シーンの変化を検出した際の、出力制御部１１０の処理動作を示すフローチャートである。
【００４８】
出力制御部１１０は、例えば、強階層シーン検出部１０６から、上記シーン変化検出信号を受けると、検出した時刻を計時部１１３から取得し、取得した時刻を、強階層シーン検出テーブル６００の割り込み時刻データ保存領域６０１＃１に記憶させる。また、出力制御部１１０は、例えば、弱階層シーン検出部１０９から、上記シーン変化検出信号を受けると、検出した時刻を計時部１１３から取得し、取得した時刻を、弱階層シーン検出テーブル６５０の割り込み時刻データ保存領域６０３＃１に記憶させる（ステップＳ６０１）。
【００４９】
次に、出力制御部１１０は、出力された上記シーン変化検出信号は、どちらの階層のシーン検出部から出力されたのかを判定する。
【００５０】
出力制御部１１０は、上記シーン変化検出信号は、強階層シーン検出部１０６から出力されたものだと判定した場合（ステップＳ６０２：強階層から）、ステップＳ６０１で取得した割り込み時刻データ保存領域６０１＃１（本実施例では、一例として、１６時３０分とする）に記憶されている時刻と、１つ前のシーン変化時に取得した時刻（つまり、割り込み時刻データ保存領域６０１＃２に記憶されている時刻）との間の時間差を算出し、割り込み間隔データ保存領域６０２＃１に記憶させ（ステップＳ６０３）、一連の処理動作を終了する。
【００５１】
また、出力制御部１１０は、上記シーン変化検出信号は、弱階層シーン検出部１０９から出力されたものだと判定した場合（ステップＳ６０２：弱階層から）、ステップＳ６０１で取得した割り込み時刻データ保存領域６０３＃１（本実施例では、一例として、１６時３０分０２秒とする）に記憶されている時刻と、１つ前のシーン変化時に取得した時刻（つまり、割り込み時刻データ保存領域６０３＃２に記憶されている時刻）との間の時間差を算出し、割り込み間隔データ保存領域６０４＃１に記憶させ（ステップＳ６０４）、一連の処理動作を終了する。
【００５２】
図７は、本発明の一実施形態に係る、各階層から出力される映像信号の同期処理動作を行う際の、出力制御部１１０の処理動作を示すフローチャートである。
【００５３】
出力制御部１１０は、強階層シーン検出テーブル６００の割り込み間隔データ保存領域６０２に記憶されている連続したＭ個の値と、弱階層シーン検出テーブル６５０の割り込み間隔データ保存領域６０４に記憶されている連続したＭ個の値とを、パターンマッチングする（ステップＳ７０１）。出力制御部１１０は、ステップＳ７０１のパターンマッチングで、上記各階層の割り込み間隔データ保存領域に同じ数値列が存在していなければ(ステップＳ７０２：Ｎｏ)、上記強階層と上記弱階層とでは、別の映像が流れていると判断し、同期処理動作を終了する。一方、出力制御部１１０は、ステップＳ７０１のパターンマッチングで、上記各階層の割り込み間隔データ保存領域に同じ数値列が存在している場合(ステップＳ７０２：Ｙｅｓ)、上記強階層と上記弱階層とでは、同じ映像が流れていると判断する。そして、出力制御部１１０は、割り込み時刻データ保存領域６０１＃１及び割り込み時刻データ保存領域６０３＃１から、最新のシーン変化を検出した時刻を取得し、該取得した時刻差から、各階層間の出力時間のずれを算出する（ステップＳ７０３）。例えば、本実施例では、各階層間での出力時間のずれは、２秒となっている。
【００５４】
ところで、割り込み間隔データ保存領域６０２及び割り込み間隔データ保存領域６０４に記憶されている値には、誤差が含まれている。そのため、出力制御部１１０は、上記各割り込み間隔データ保存領域に記憶されている値を用いて、上記パターンマッチングを行う場合には、予め誤差分を考慮した閾値を設定し、上記各割り込み間隔データ保存領域に記憶されている値が上記閾値内に収まっている場合には、上記値は一致していると判断する。
【００５５】
次に、出力制御部１１０は、ステップＳ７０３で算出した出力時間のずれと、過去にステップＳ７０３で同じように算出した出力時間のずれとを比較し、その差が、予め設定した閾値より大きいか否かを判定する（ステップＳ７０４）。ステップＳ７０４での比較の結果、その差が予め設定してある閾値内である場合（ステップＳ７０４：Ｎｏ）、出力時間のずれは、以前算出した時間から変動していないと判断し、予め設定してある、出力時間のずれ分のバッファ量で同期処理動作を行う。一方、ステップＳ７０４での比較の結果、その差が予め設定してある閾値外である（ステップＳ７０４：Ｙｅｓ）場合、以前算出した時間から変動したと判断し、新たに、各階層間での出力時間のずれを算出する。
【００５６】
例えば、上記弱階層の映像信号が、上記強階層の映像信号よりも遅延して出力されている場合（ステップＳ７０５：弱階層）、出力制御部１１０は、上記強階層のＴＳ信号の復号を一時停止させ（ステップＳ７０６）、強階層バッファ部１０４のバッファ記憶量を、ステップＳ７０４で算出された上記弱階層の映像信号の出力遅延時間分に設定し、上記強階層のＴＳ信号の復号を再開させて（ステップＳ７０７）、一連の処理動作を終了する。
【００５７】
また、例えば、上記強階層の映像信号が、上記弱階層の映像信号よりも遅延して出力されている場合（ステップＳ７０５：強階層）、出力制御部１１０は、上記弱階層のＴＳ信号の復号を一時停止させ（ステップＳ７０８）、弱階層バッファ部１０７のバッファ記憶量を、ステップＳ７０４で算出された上記強階層の映像信号の出力遅延時間分に設定し、上記弱階層のＴＳ信号の復号を再開させて（ステップＳ７０９）、一連の処理動作を終了する。
【００５８】
なお、出力制御部１１０は、ステップＳ７０７や、ステップＳ７０９で説明したような上記ＴＳ信号の復号を再開させる際は、各階層のバッファ部に記憶されているバッファ記憶量が出力遅延時間分に達したことを検知した後に復号を再開させる。また、出力制御部１１０は、上述のような処理で復号された、上記強階層の映像信号及び音声信号と、上記弱階層の映像信号及び音声信号との、いずれか一方を出力するように出力選択部１１１を制御する。
【００５９】
図８は、図１に記載のデジタル放送受信装置１００における、各階層のシーン検出部がシーンの変化を検出する際の、変形例を示すフローチャートである。
【００６０】
上述した本発明の一実施形態では、表示メモリ３００から出力された各階層の画像データに基づき、映像のシーン変化の検出を行ったが、本変形例では、各階層の復号部から出力される音声信号で、シーン変化の検出を行うようにする。その他の処理動作は、上述した本発明の一実施形態と同様なので、それらの詳細な説明は省略する。
【００６１】
図８において、強階層シーン検出部１０６は、強階層復号部１０５から出力される音声信号に基づき、所定時間以上、無音の状態が発生したか否かを判定する（ステップＳ８０１）。強階層シーン検出部１０６は、所定時間以上、無音の状態が発生した場合（ステップＳ８０２：発生）、シーンが変わったと判断し、強階層シーン変化検出信号を出力制御部１１０に出力する。また、強階層シーン検出部１０６は、所定時間以上、無音の状態が発生していないと判断した場合（ステップＳ８０２：発生していない）、シーンは変わっていないと判断し、シーン変化検出処理動作を継続する。なお、本変形例では、上記強階層の音声信号に基づいた例を説明したが、上記処理動作は、上記弱階層の音声信号に基づく場合も、同様に行われる。
【００６２】
以上説明したような処理動作を行うことによって、利用者が、出力する階層を切り替えて番組等を視聴する際なども、出力時間のずれがないように自動で調整し、タイミングを合わせて出力することができる。
【００６３】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【００６４】
例えば、本実施形態では、上記強階層と、上記弱階層の２階層の間で、出力時間のずれがないように調整しているが、上記階層が、３階層以上ある場合でも、階層毎に、シーン検出部を構成することで、３階層以上の階層に対しても、出力時間のずれを調整することができる。
【００６５】
さらに、例えば、本実施形態では、同じ内容の番組が送信された放送の受信を例に説明したが、同じ内容の番組が並行して複数のチャンネルで送信されるのであれば、それら複数チャンネルの間で、出力タイミングの調整を行うこともできる。
【００６６】
さらに、例えば、本実施形態では、上記映像信号のシーン変化の検出と、変形例で示した、音声信号の無音状態の検出を別々の処理動作で示したが、これらの処理動作を同時に行ってもよい。
【図面の簡単な説明】
【００６７】
【図１】本発明の一実施形態に係る、デジタル放送受信装置の構成を示す機能ブロック図。
【図２】本発明の一実施形態に係る、表示メモリに記憶されている画像データの構成を示す説明図。
【図３】図１に記載の表示メモリに内蔵される、輝度値テーブルの内容を示す説明図。
【図４】図１に記載の出力制御部に内蔵される、各階層のシーン検出テーブルの構成を示す説明図。
【図５】本発明の一実施形態に係る、シーンの変化を検出する際の、シーン検出部の処理動作を示すフローチャート。
【図６】本発明の一実施形態に係る、シーンの変化を検出した際の、出力制御部１１０の処理動作を示すフローチャート。
【図７】本発明の一実施形態に係る、各階層から出力される映像信号の同期処理動作を行う際の、出力制御部１１０の処理動作を示すフローチャート。
【図８】図１に記載のデジタル放送受信装置１００における、各階層のシーン検出部がシーンの変化を検出する際の、変形例を示すフローチャート。
【符号の説明】
【００６８】
１００…デジタル放送受信装置、１０１…入力端子、１０２…受信部、１０３…パケット分離部、１０４…強階層バッファ部、１０５…強階層復号部、１０６…強階層シーン検出部、１０７…弱階層バッファ部、１０８…弱階層復号部、１０９…弱階層シーン検出部、１１０…出力制御部、１１１…出力選択部、１１２…出力端子、１１３…計時部、３００…表示メモリ、３０１…画素情報、４００…輝度値テーブル、４０１〜４０７…領域、４０１Ａ〜４０７Ａ…輝度信号情報Ｙの平均値、６００…強階層シーン検出テーブル、６０１，６０３…割り込み時刻データ保存領域、６０２，６０４…割り込み間隔データ保存領域、６５０…弱階層シーン検出テーブル。
【図１】
2008092100.tif 000003
【図２】
2008092100.tif 000004
【図３】
2008092100.tif 000005
【図４】
2008092100.tif 000006
【図５】
2008092100.tif 000007
【図６】
2008092100.tif 000008
【図７】
2008092100.tif 000009
【図８】
2008092100.tif 000010